(57)【要約】      （修正有）【課題】低消費電力で動作し、かつ、高品質な画像を表示するための画像処理装置および画像表示装置を提供する。【解決手段】所定周期のパルスを含む第１同期信号およびこの第１同期信号のパルスと同期して切り替わる複数のフレームから構成される第１画像信号が入力される第１モードと、前記第１同期信号および前記第１画像信号の入力が停止されてフレームメモリ２０に書き込まれた第２画像信号を読み出す第２モードと、を切り替えて動作可能な画像処理装置。この画像処理装置は、同期制御部と、書き込み制御部１６と、読み出し制御部１７と、セレクタ１８と、を備える。【選択図】図１
2015004885.tif 000002
【特許請求の範囲】
【請求項１】
所定周期のパルスを含む第１同期信号およびこの第１同期信号のパルスと同期して切り替わる複数のフレームから構成される第１画像信号が入力される第１モードと、前記第１同期信号および前記第１画像信号の入力が停止されてフレームメモリに書き込まれた第２画像信号を読み出す第２モードと、を切り替えて動作可能な画像処理装置であって、
前記第１同期信号に基づいて第２同期信号を生成する同期制御部であって、前記第２モードから前記第１モードに切り替わると、その切り替わりから前記所定周期以上の時間が経過した後に、前記第２同期信号のパルスを生成する同期制御部と、
前記第１画像信号を前記フレームメモリに書き込む書き込み制御部と、
前記第２同期信号のパルスに同期して、前記フレームメモリに書き込まれた前記第１画像信号を前記第２画像信号として読み出す読み出し制御部と、
前記第２モードでは前記第２画像信号を選択し、前記第２モードから前記第１モードに切り替わった直後に入力される前記第１画像信号の少なくとも２フレーム目以降に前記第１画像信号を選択するセレクタと、を備え、
前記同期制御部は、
前記第１モードでは前記第１同期信号のパルスに同期したパルスを含み、前記第１モードから前記第２モードに切り替わっても、引き続き、前記所定周期のパルスを含む第３同期信号を生成する表示タイミング生成部と、
前記第２モードから前記第１モードへの切り替わり直後に生成された少なくとも１つの前記第３同期信号のパルスをマスクして、前記第２同期信号を生成する同期マスク制御部と、
を有し、
前記第２モードから前記第１モードに切り替える場合には、第１コマンドが入力され、続いて、前記第１同期信号のパルスが入力され、
前記同期マスク部は、前記第１コマンドに続く少なくとも１つの前記第３同期信号のパルスをマスクして、前記第２同期信号を生成し、
前記セレクタは、前記同期制御部が、前記第２モードから前記第１モードへの切り替わりから前記所定周期以上の時間が経過した後に生成した前記第２同期信号のパルスに同期して、前記第２画像信号から前記第１画像信号に選択を切り替えることを特徴とする画像処理装置。
【請求項２】
所定周期のパルスを含む第１同期信号およびこの第１同期信号のパルスと同期して切り替わる複数のフレームから構成される第１画像信号が入力される第１モードと、前記第１同期信号および前記第１画像信号の入力が停止されてフレームメモリに書き込まれた第２画像信号を読み出す第２モードと、を切り替えて動作可能な画像処理装置であって、
前記第１同期信号に基づいて第２同期信号を生成する同期制御部であって、前記第２モードから前記第１モードに切り替わると、その切り替わりから前記所定周期以上の時間が経過した後に、前記第２同期信号のパルスを生成する同期制御部と、
前記第１画像信号を前記フレームメモリに書き込む書き込み制御部と、
前記第２同期信号のパルスに同期して、前記フレームメモリに書き込まれた前記第１画像信号を前記第２画像信号として読み出す読み出し制御部と、
前記第２モードでは前記第２画像信号を選択し、前記第２モードから前記第１モードに切り替わった直後に入力される前記第１画像信号の少なくとも２フレーム目以降に前記第１画像信号を選択するセレクタと、を備えることを特徴とする画像処理装置。
【請求項３】
前記同期制御部は、
前記第１モードでは前記第１同期信号のパルスに同期したパルスを含み、前記第１モードから前記第２モードに切り替わっても、引き続き、前記所定周期のパルスを含む第３同期信号を生成する表示タイミング生成部と、
前記第２モードから前記第１モードへの切り替わり直後に生成された少なくとも１つの前記第３同期信号のパルスをマスクして、前記第２同期信号を生成する同期マスク制御部と、
を有することを特徴とする請求項２に記載の画像処理装置。
【請求項４】
前記第２モードから前記第１モードに切り替える場合には、第１コマンドが入力され、続いて、前記第１同期信号のパルスが入力され、
前記同期マスク部は、前記第１コマンドに続く少なくとも１つの前記第３同期信号のパルスをマスクして、前記第２同期信号を生成することを特徴とする請求項３に記載の画像処理装置。
【請求項５】
前記セレクタは、前記同期制御部が、前記第２モードから前記第１モードへの切り替わりから前記所定周期以上の時間が経過した後に生成した前記第２同期信号のパルスに同期して、前記第２画像信号から前記第１画像信号に選択を切り替えることを特徴とする請求項２乃至４のいずれかに記載の画像処理装置。
【請求項６】
所定周期のパルスを含む第１同期信号およびこの第１同期信号のパルスと同期して切り替わる複数のフレームから構成される第１画像信号が入力される第１モードと、前記第１同期信号および前記第１画像信号の入力が停止されてフレームメモリに書き込まれた第２画像信号を読み出す第２モードと、を切り替えて動作可能な画像表示装置であって、
前記第１同期信号に基づいて第２同期信号を生成する同期制御部であって、前記第２モードから前記第１モードに切り替わると、その切り替わりから前記所定周期以上の時間が経過した後に、前記第２同期信号のパルスを生成する同期制御部と、
前記第１画像信号を前記フレームメモリに書き込む書き込み制御部と、
前記第２同期信号のパルスに同期して、前記フレームメモリに書き込まれた前記第１画像信号を前記第２画像信号として読み出す読み出し制御部と、
前記第２モードでは前記第２画像信号を選択し、前記第２モードから前記第１モードに切り替わった直後に入力される前記第１画像信号の少なくとも２フレーム目以降に前記第１画像信号を選択するセレクタと、
前記セレクタにより選択された画像信号に応じた画像を表示する表示部と、を備えることを特徴とする画像表示装置。
【請求項７】
前記同期制御部は、前記第２モードから前記第１モードに切り替わると、その切り替わりから前記所定周期以上の第１の時間が経過した後に、前記第２同期信号のパルスを生成し、
前記表示部は、少なくとも前記第１の時間、表示される画像を保持することを特徴とする請求項６に記載の画像表示装置。
【発明の詳細な説明】
【技術分野】
【０００１】
本発明の実施形態は、画像処理装置および画像表示装置に関する。
【背景技術】
【０００２】
近年、スマートフォンやタブレットといった表示機能付きのモバイル機器においては、特に表示機能のための電力削減が大きな課題となっている。そのために、静止画と動画とで表示手法を切り替えることが行われている。
【０００３】
例えば、動画を表示する際にはプロセッサから動画像用の画像信号を送信する一方、静止画を表示する際には静止画用の画像をフレームメモリに蓄えた上で静止画を表示することが提案されている。これにより、静止画を表示する際にはプロセッサを停止させることができ、消費電力を削減できる。
【０００４】
ところが、静止画から動画へは任意のタイミングで切り替えられる。そのため、静止画から動画への切り替えを適切に行わないと、表示される画像が劣化してしまうという問題がある。
【先行技術文献】
【特許文献】
【０００５】
【特許文献１】特開２００３−３３０４３３号公報
【発明の概要】
【発明が解決しようとする課題】
【０００６】
低消費電力で動作し、かつ、高品質な画像を表示するための画像処理装置および画像表示装置を提供する。
【課題を解決するための手段】
【０００７】
実施形態によれば、所定周期のパルスを含む第１同期信号およびこの第１同期信号のパルスと同期して切り替わる複数のフレームから構成される第１画像信号が入力される第１モードと、前記第１同期信号および前記第１画像信号の入力が停止されてフレームメモリに書き込まれた第２画像信号を読み出す第２モードと、を切り替えて動作可能な画像処理装置が提供される。この画像処理装置は、同期制御部と、書き込み制御部と、読み出し制御部と、セレクタと、を備える。前記同期制御部は、前記第１同期信号に基づいて第２同期信号を生成する同期制御部であって、前記第２モードから前記第１モードに切り替わると、その切り替わりから前記所定周期以上の時間が経過した後に、前記第２同期信号のパルスを生成する。前記書き込み制御部は、前記第１画像信号を前記フレームメモリに書き込む。前記制御部は、前記第２同期信号のパルスに同期して、前記フレームメモリに書き込まれた前記第１画像信号を前記第２画像信号として読み出す。前記セレクタは、前記第２モードでは前記第２画像信号を選択し、前記第２モードから前記第１モードに切り替わった直後に入力される前記第１画像信号の少なくとも２フレーム目以降に前記第１画像信号を選択する。
【図面の簡単な説明】
【０００８】
【図１】一実施形態に係る画像表示装置の概略構成を示すブロック図。
【図２】バイパスモードからＳＲモードへ切り替える際の、アプリケーションプロセッサ１および画像処理装置２の処理動作を説明するタイミング図。
【図３】バイパスモードからＳＲモードへ切り替える際の、アプリケーションプロセッサ１および画像処理装置２の処理動作の一例を示すシーケンス図。
【図４】ＳＲモードからバイパスモードへの切り替える際の、アプリケーションプロセッサ１および画像処理装置２の処理動作を説明するタイミング図。
【図５】ＳＲモードからバイパスモードへ切り替える際の、アプリケーションプロセッサ１および画像処理装置２の処理動作の一例を示すシーケンス図。
【図６】ＳＲモードにおいて、表示する静止画を切り替える際の、アプリケーションプロセッサ１および画像処理装置２の処理動作を説明するタイミング図。
【発明を実施するための形態】
【０００９】
以下、実施形態について、図面を参照しながら具体的に説明する。
【００１０】
図１は、一実施形態に係る画像表示装置の概略構成を示すブロック図である。画像表示装置は、アプリケーションプロセッサ１と、画像処理装置２と、液晶パネル（表示部）３とを備えている。
【００１１】
アプリケーションプロセッサ１は、液晶パネル３に表示すべき画像を示す画像信号（第１画像信号）と、垂直同期信号Ｖｓｙｎｃ（第１同期信号）とを生成する。画像信号は複数のフレームから構成される。そして、垂直同期信号Ｖｓｙｎｃはフレームの切り替わりタイミングを示すパルスを含んでいる。言い換えると、垂直同期信号Ｖｓｙｎｃのパルスに同期して、液晶パネル３に表示されるフレームが切り替わる。垂直同期信号Ｖｓｙｎｃの周期は例えば１／３０秒であり、すなわち、画像信号のフレームレートは３０ｆｐｓ（frame per second）である。
【００１２】
そして、アプリケーションプロセッサ１は画像信号および垂直同期信号Ｖｓｙｎｃを画像処理装置２に送信する。本実施形態において、アプリケーションプロセッサ１の出力インターフェースはＤＳＩ（Display Serial Interface）であることを想定しており、アプリケーションプロセッサ１は、画像信号および垂直同期信号Ｖｓｙｎｃだけでなく、種々のコマンドも画像処理装置２に送信できる。
【００１３】
画像処理装置２は画像信号を処理して液晶パネル３に送信する。本実施形態において、液晶パネル３の入力インターフェースはＬＶＤＳ（Low Voltage Differential Signaling）であることを想定している。このように、アプリケーションプロセッサ１の出力インターフェースと、液晶パネル３の入力インターフェースとが異なることもある。このような場合に、画像処理装置２は、アプリケーションプロセッサ１の出力フォーマットを、液晶パネル３の入力フォーマットに変換する処理を行う。
【００１４】
液晶パネル３は受信した画像信号に応じた画像を表示する。液晶パネル３はホールド型のディスプレイであり、上記垂直同期信号Ｖｓｙｎｃの周期より長い時間、好ましくは２周期分程度、画像をホールドできる。なお、液晶パネル３に代えて、有機ＥＬパネルなど、他のホールド型のディスプレイを用いてもよい。
【００１５】
続いて、画像処理装置２について詳しく説明する。画像処理装置２は、アプリケーションプロセッサ１からのコマンドに応じて、バイパスモード（第１モード）およびＳＲ（Self Refreshment）モード（第２モード）のいずれかに設定され、モードに応じた動作を行う。
【００１６】
バイパスモードは、例えば動画像を表示するためのモードである。バイパスモードの場合、画像処理装置２はアプリケーションプロセッサ１から受信した画像信号を液晶パネル３に送信する。
【００１７】
ＳＲモードは、例えば静止画を表示するためのモードである。ＳＲモードの場合、画像処理装置２は、アプリケーションプロセッサ１から受信した画像信号を一旦フレームメモリ２０に書き込む。その後、画像処理装置２は、フレームメモリ２０から画像信号を読み出して、液晶パネル３に送信する。ＳＲモードでは、画像信号がフレームメモリ２０に書き込まれた後は、アプリケーションプロセッサ１からの画像信号の送信を停止することができ、画像表示装置全体の消費電力を抑制できる。
【００１８】
図１に示すように、画像処理装置２は、コマンド解釈部１１と、表示切替制御部１２と、同期信号抽出部１３と、表示タイミング生成部１４と、Ｖｓｙｎｃマスク制御部（同期マスク制御部）１５と、書き込み制御部１６と、読み出し制御部１７と、セレクタ１８と、ＬＶＤＳ変換部１９と、フレームメモリ２０とを有する。フレームメモリ２０は、外付けメモリとして、画像処理装置２の外部にあってもよい。
【００１９】
コマンド解釈部１１はアプリケーションプロセッサ１から受信したコマンドを解釈する。コマンドには、例えば、アプリケーションプロセッサ１からの画像信号をフレームメモリ２０に書き込むことを指示するアップデートコマンドＵＤ、バイパスモードからＳＲモードへの切り替えを指示するセルフリフレッシュコマンドＳＲ、ＳＲモードからバイパスモードへの切り替えを示すバイパスコマンドＢＰなどを含む。コマンド解釈により得られた各コマンドは表示切替制御部１２に通知される。また、コマンド解釈部１１は、アップデートコマンドＵＤに応じて、書き込み開始信号を書き込み制御部１６に供給する。
【００２０】
表示切替制御部１２は、コマンドに応じて、Ｖｓｙｎｃマスク制御部１５、読み出し制御部１７およびセレクタ１８を制御する。より具体的には、表示切替制御部１２は、バイパスコマンドＢＰに応じて、マスク制御信号をＶｓｙｎｃマスク制御部１５に供給する。また、表示切替制御部１２は、セルフリフレッシュコマンドＳＲおよびバイパスコマンドＢＰに応じて、それぞれ読み出し開始信号および読み出し停止信号を読み出し制御部１７に供給する。さらに、表示切替制御部１２は、セルフリフレッシュコマンドＳＲおよびバイパスコマンドＢＰに応じて、セレクタ１８が選択すべき画像信号を示す選択制御信号をセレクタ１８に供給する。
【００２１】
同期信号抽出部１３は、アプリケーションプロセッサ１から受信した信号から、垂直同期信号Ｖｓｙｎｃを抽出する。以下では、アプリケーションプロセッサ１から受信する垂直同期信号Ｖｓｙｎｃに対して、同期信号抽出部１３により抽出された垂直同期信号をＶｓｙｎｃ（Ａ）と表記する。抽出された垂直同期信号Ｖｓｙｎｃ（Ａ）は表示タイミング生成部１４へ供給される。
【００２２】
表示タイミング生成部１４は垂直同期信号Ｖｓｙｎｃ（Ａ）から垂直同期信号Ｖｓｙｎｃ（Ｂ）（第３同期信号）を生成する。すなわち、同期信号抽出部１３から垂直同期信号Ｖｓｙｎｃ（Ａ）が供給される場合、表示タイミング生成部１４は、垂直同期信号Ｖｓｙｎｃ（Ａ）と同期して、より具体的には、垂直同期信号Ｖｓｙｎｃ（Ａ）と等しい垂直同期信号Ｖｓｙｎｃ（Ｂ）を出力する。そして、同期信号抽出部１３から垂直同期信号Ｖｓｙｎｃ（Ａ）が供給されなくなると、表示タイミング生成部１４は、それまでに供給されていた垂直同期信号Ｖｓｙｎｃ（Ａ）と同じ周期で、垂直同期信号Ｖｓｙｎｃ（Ｂ）を出力する。その後、再び同期信号抽出部１３から垂直同期信号Ｖｓｙｎｃ（Ａ）が供給されると、表示タイミング生成部１４は、やはり、垂直同期信号Ｖｓｙｎｃ（Ａ）と等しい垂直同期信号Ｖｓｙｎｃ（Ｂ）を出力する。垂直同期信号Ｖｓｙｎｃ（Ｂ）はＶｓｙｎｃマスク制御部１５および表示切替制御部１２に供給される。
【００２３】
Ｖｓｙｎｃマスク制御部１５は、表示切替制御部１２からのマスク制御信号に応じて、垂直同期信号Ｖｓｙｎｃ（Ｂ）におけるパルスの一部をマスクし、垂直同期信号Ｖｓｙｎｃ（Ｃ）（第２同期信号）を出力する。
【００２４】
なお、表示タイミング生成部１４およびＶｓｙｎｃマスク制御部１５は、同期制御部を構成する。
【００２５】
書き込み制御部１６は、コマンド解釈部１１からの書き込み開始信号に応じて、アプリケーションプロセッサ１からの画像信号を１フレーム分フレームメモリ２０に書き込む。書き込み制御部１６は画像信号を圧縮してフレームメモリ２０に書き込んでもよい。
【００２６】
読み出し制御部１７は、表示切替制御部１２からの読み出し開始信号に応じ、Ｖｓｙｎｃマスク制御部１５からの垂直同期信号Ｖｓｙｎｃ（Ｃ）に同期して、フレームメモリ２０に書き込まれた画像信号を読み出す。圧縮された画像信号が書き込まれている場合、読み出し制御部１７は画像信号を読み出す際に伸張処理も行う。また、読み出し制御部１７は、表示切替制御部１２からの読み出し停止信号に応じて、画像信号の読み出しを停止する。
【００２７】
セレクタ１８は、表示切替制御部１２からの選択制御信号に応じて、アプリケーションプロセッサ１からの画像信号（第１画像信号）およびフレームメモリ２０から読み出された画像信号（第２画像信号）のいずれかを選択して出力する。より具体的には、セレクタ１８は、バイパスモードではアプリケーションプロセッサ１からの画像信号を選択し、ＳＲモードではフレームメモリ２０から読み出された画像信号を選択する。
【００２８】
ＬＶＤＳ変換部１９は、セレクタ１８から出力される画像信号を、ＬＶＤＳフォーマットに変換して、液晶パネル３に供給する。
【００２９】
以上説明したように、画像処理装置２は、バイパスモードでは、アプリケーションプロセッサ１からの画像信号を液晶パネル３に供給する。また、画像処理装置２は、ＳＲモードでは、フレームメモリ２０から画像信号を読み出して液晶パネル３に送信する。
【００３０】
続いて、ＳＲモードおよびバイパスモード間の切り替え時、あるいは、ＳＲモードにおける静止画の切り替え時の画像表示装置の処理動作について説明する。
【００３１】
まずは、バイパスモードからＳＲモードへの切り替えについて説明する。図２は、バイパスモードからＳＲモードへ切り替える際の、アプリケーションプロセッサ１および画像処理装置２の処理動作を説明するタイミング図である。同図では、上から順に、アプリケーションプロセッサ１から画像処理装置２に送信されるコマンド、垂直同期信号Ｖｓｙｎｃおよび画像信号、ならびに、画像処理装置２内におけるフレームメモリ２０に書き込まれた画像信号、垂直同期信号Ｖｓｙｎｃ（Ａ），Ｖｓｙｎｃ（Ｂ），Ｖｓｙｎｃ（Ｃ）およびセレクタ１８が出力する画像信号を模式的に示している。
【００３２】
同図における垂直同期信号Ｖｓｙｎｃ（Ａ）のパルスが画像信号におけるフレームの切り替わりタイミングを示している。なお、同図では、各部間の信号伝送の遅延を無視して描いている。
【００３３】
また、図３は、バイパスモードからＳＲモードへ切り替える際の、アプリケーションプロセッサ１および画像処理装置２の処理動作の一例を示すシーケンス図である。
【００３４】
バイパスモードでは、アプリケーションプロセッサ１は垂直同期信号Ｖｓｙｎｃおよび画像信号を画像処理装置２に送信する（ステップＳ１）。そして、画像処理装置２のセレクタ１８はアプリケーションプロセッサ１からの画像信号を選択する（ステップＳ１１）。例えば、時刻ｔ０では、セレクタ１８はアプリケーションプロセッサ１から出力される画像信号のフレームＡを選択する。
【００３５】
また、バイパスモードにおいて、同期信号抽出部１３はアプリケーションプロセッサ１からの垂直同期信号Ｖｓｙｎｃを抽出し、垂直同期信号Ｖｓｙｎｃ（Ａ）を生成する。そして、表示タイミング生成部１４は垂直同期信号Ｖｓｙｎｃ（Ａ）と同期した垂直同期信号Ｖｓｙｎｃ（Ｂ）を生成する（ステップＳ１２）。当然、垂直同期信号Ｖｓｙｎｃ（Ｂ）の周期は、垂直同期信号Ｖｓｙｎｃ，Ｖｓｙｎｃ（Ａ）の周期と等しい。
【００３６】
画像処理装置２はアップデートコマンドＵＤを受信するまではバイパスモードで動作する。なお、バイパスモードでは、書き込み制御部１６、読み出し制御部１７およびＶｓｙｎｃマスク制御部１５は、特に動作しなくてもよい。
【００３７】
バイパスモードからＳＲモードに切り替える場合、アプリケーションプロセッサ１は、画像処理装置２に対して、
・アップデートコマンドＵＤ（図２の時刻ｔ１、図３のステップＳ２）、
・垂直同期信号Ｖｓｙｎｃおよび静止画用の画像信号Ｄ（図２の時刻ｔ２、図３のステップＳ３）、ならびに
・セルフリフレッシュコマンドＳＲ（図２の時刻ｔ３、図３のステップＳ４）、
を順に送信する。
【００３８】
セルフリフレッシュコマンドＳＲの送信後、アプリケーションプロセッサ１は、１またはいくつかの垂直同期信号Ｖｓｙｎｃをさらに送信してもよい（図２の時刻ｔ４）が、その後は垂直同期信号Ｖｓｙｎｃおよび画像信号の送信を停止する。
【００３９】
図２の時刻ｔ１において、画像処理装置２のコマンド解釈部１１がアップデートコマンドＵＤを受信すると、コマンド解釈部１１は書き込み開始信号を生成して書き込み制御部１６に供給する（ステップＳ１３）。
【００４０】
図２の時刻ｔ２において、画像処理装置２の書き込み制御部１６は、アプリケーションプロセッサ１から静止画用のフレームＤを受信する。そして、書き込み制御部１６は、書き込み開始信号に応じて、静止画用のフレームＤをフレームメモリ２０に書き込む（ステップＳ１４）。なお、フレームメモリ２０への書き込み中も、セレクタ１８はアプリケーションプロセッサ１からのフレームＤを選択している。時刻ｔ２〜ｔ４でフレームＤの書き込みが完了する。
【００４１】
また、図２の時刻ｔ３において、画像処理装置２のコマンド解釈部１１がセルフリフレッシュコマンドＳＲを受信すると、表示切替制御部１２は読み出し開始信号を生成して、読み出し制御部１７に供給する（ステップＳ１５）。
【００４２】
図２の時刻ｔ４以降では、垂直同期信号Ｖｓｙｎｃがアプリケーションプロセッサ１から供給されないため、同期信号抽出部１３は垂直同期信号Ｖｓｙｎｃ（Ａ）を出力しない。しかしながら、表示タイミング生成部１４は、それまでに抽出されていた垂直同期信号Ｖｓｙｎｃ（Ａ）と同じ周期で、垂直同期信号Ｖｓｙｎｃ（Ｂ）をフリーランで生成し続ける。そして、Ｖｓｙｎｃマスク制御部１５は垂直同期信号Ｖｓｙｎｃ（Ｂ）を垂直同期信号Ｖｓｙｎｃ（Ｃ）としてそのまま出力する（ステップＳ１６）。
【００４３】
そして、読み出し制御部１７は、読み出し開始信号に応じ、垂直同期信号Ｖｓｙｎｃ（Ｃ）のパルスに同期して、フレームメモリ２０に書き込まれたフレームＤを読み出す（ステップＳ１７）。
【００４４】
一方、時刻ｔ３において、画像処理装置２のコマンド解釈部１１がセルフリフレッシュコマンドＳＲを受信する。表示切替制御部１２は、その後の時刻ｔ４における垂直同期信号Ｖｓｙｎｃ（Ｂ）に同期して選択制御信号を生成し、セレクタ１８に送信する（ステップＳ１８）。これにより、セレクタ１８は、アプリケーションプロセッサ１からの画像信号に代えて、読み出し制御部１７が読み出したフレームＤを選択する（ステップＳ１９）。
【００４５】
以上のようにして、時刻ｔ４以降は、フレームメモリ２０に書き込まれた画像信号Ｄがセレクタ１８から出力されるようになり、バイパスモードからＳＲモードへの切り替えが完了する。
【００４６】
続いて、ＳＲモードからバイパスモードへの切り替えについて説明する。図４は、ＳＲモードからバイパスモードへの切り替える際の、アプリケーションプロセッサ１および画像処理装置２の処理動作を説明するタイミング図である。同図では、すでにフレームメモリ２０にフレームＤが書き込まれている例を示している。図５は、ＳＲモードからバイパスモードへ切り替える際の、アプリケーションプロセッサ１および画像処理装置２の処理動作の一例を示すシーケンス図である。
【００４７】
上述のように、ＳＲモードでは、アプリケーションプロセッサ１から画像処理装置２へ画像信号は送信されない。そして、画像処理装置２の読み出し制御部１７はフレームメモリ２０から画像信号を読み出し、セレクタ１８は読み出された画像信号を選択している（ステップＳ３１）。
【００４８】
ＳＲモードからバイパスモードに切り替える場合、アプリケーションプロセッサ１は、画像処理装置２に対して、
・バイパスコマンドＢＰ（図４の時刻ｔ１１、図５のステップＳ２１）、ならびに、
・垂直同期信号Ｖｓｙｎｃおよび動画用のフレームＥ，Ｆ・・から構成される画像信号（図２の時刻ｔ１２、図５のステップＳ２２）
を、順に送信する。
【００４９】
ここで、任意のタイミングでＳＲモードからバイパスモードへ切り替えられるため、画像処理装置２に送信される垂直同期信号Ｖｓｙｎｃは、必ずしも画像処理装置２内の垂直同期信号Ｖｓｙｎｃ（Ｂ），Ｖｓｙｎｃ（Ｃ）と同期していない。但し、バイパスモードで新たに画像処理装置２に送信される垂直同期信号Ｖｓｙｎｃの周期は、画像処理装置２内の垂直同期信号Ｖｓｙｎｃ（Ｂ），Ｖｓｙｎｃ（Ｃ）の周期と等しい。
【００５０】
図４の時刻ｔ１１において、画像処理装置２のコマンド解釈部１１がバイパスコマンドＢＰを受信すると、表示切替制御部１２はマスク制御信号を生成してＶｓｙｎｃマスク制御部１５に供給するとともに、読み出し停止信号を生成して読み出し制御部１７に供給する（ステップＳ３２）。
【００５１】
読み出し停止信号が生成されても、読み出し制御部１７はすぐにフレームＤの読み出しを停止するわけではなく、現在読み出し中のフレームＤの読み出しが完了するまで（ステップＳ３３のＹＥＳ）、読み出しを行う。１フレームの読み出しが完了した後は、垂直同期信号Ｖｓｙｎｃ（Ｃ）のパルスが生成されたとしても、読み出し制御部１７はフレームメモリ２０に記憶されたフレームＤの読み出しを行わない（ステップＳ３４）。
【００５２】
一方、図４の時刻ｔ１２以降では、アプリケーションプロセッサ１から画像処理装置２へ垂直同期信号Ｖｓｙｎｃが送信される。同期信号抽出部１３は、アプリケーションプロセッサ１からの垂直同期信号Ｖｓｙｎｃを抽出し、垂直同期信号Ｖｓｙｎｃ（Ａ）を生成する。表示タイミング生成部１４は、ＳＲモードにおいてはフリーランで垂直同期信号Ｖｓｙｎｃ（Ｂ）を生成していたが、時刻ｔ１２以降は同期信号抽出部１３からの垂直同期信号Ｖｓｙｎｃ（Ａ）と同期して垂直同期信号Ｖｓｙｎｃ（Ｂ）を生成する（ステップＳ３５）。
【００５３】
ここで、垂直同期信号Ｖｓｙｎｃは、任意のタイミングでアプリケーションプロセッサ１から入力される（図４の時刻ｔ１２、図５のステップＳ２２）。そのため、図４に示すように、垂直同期信号Ｖｓｙｎｃ（Ｂ）のパルスは、時刻ｔ１０以前は所定の周期で等間隔であるが、時刻ｔ１０のパルスと時刻ｔ１２のパルスとの時間間隔は１周期より短くなることがある。
【００５４】
そこで、Ｖｓｙｎｃマスク制御部１５は、時刻ｔ１１においてマスク制御信号が供給されると、その直後の垂直同期信号Ｖｓｙｎｃ（Ｂ）のパルス（すなわち、時刻ｔ１２でのパルス）をマスクし、２つ目のパルス以降を反映させた垂直同期信号Ｖｓｙｎｃ（Ｃ）を出力する。その結果、バイパスコマンドＢＰが発行される直前の垂直同期信号Ｖｓｙｎｃ（Ｃ）のパルス（時刻ｔ１０）から、１周期以上の時間が経過した後に、垂直同期信号Ｖｓｙｎｃ（Ｃ）のパルス（時刻ｔ１３）が生成される（ステップＳ３６）。
【００５５】
そして、表示切替制御部１２は、垂直同期信号Ｖｓｙｎｃ（Ｂ）における、バイパスコマンドＢＰを受信してから２つ目のパルス（時刻ｔ１３）に同期して（ステップＳ３７のＹＥＳ）、選択制御信号を生成し、セレクタ１８に供給する（ステップＳ３８）。この選択制御信号に応じて、セレクタ１８は、読み出し制御部１７が読み出したフレームＤに代えて、アプリケーションプロセッサ１からのフレームＦを選択する（ステップＳ３９）。結果として、画像処理装置２が受信した画像信号のうち、バイパスコマンドＢＰの直後の１フレーム目であるフレームＥはセレクタ１８に選択されず、表示されない。その後の２フレーム目であるフレームＦ以降がセレクタ１８により選択され、表示される。
【００５６】
以上説明したように、本実施形態の特徴の１つとして、ＳＲモードからバイパスモードへの切り替え時には、Ｖｓｙｎｃマスク制御部１５のマスク処理により、垂直同期信号Ｖｓｙｎｃ（Ｃ）の周期が最大で２周期分変動する。言い換えると、ＳＲモードにおける最後の垂直同期信号Ｖｓｙｎｃ（Ｃ）のパルス（時刻ｔ１０）から１周期以上の時間が経過した後に、垂直同期信号Ｖｓｙｎｃ（Ｃ）のパルスが生成される（時刻ｔ１３）。
【００５７】
仮にマスク処理を行わないと、ＳＲモードにおける最後の垂直同期信号Ｖｓｙｎｃ（Ｃ）のパルス（時刻ｔ１０）から１周期より短い時間経過した後の時刻ｔ１２に、垂直同期信号Ｖｓｙｎｃ（Ｃ）のパルスが生成されてしまう。このように、垂直同期信号Ｖｓｙｎｃに、通常の１周期より短い時間内に２つのパルスが生成されると、液晶パネル３が正常に動作しないおそれがある。また、時刻ｔ１２における垂直同期信号Ｖｓｙｎｃ（Ｃ）パルスに同期して読み出し制御部１７が画像信号の読み出しを行うと、フレームの途中で別のフレームの表示が始まるために、液晶パネル３に表示される画像がくずれてしまう。
【００５８】
これに対し、本実施形態では、ＳＲモードにおける最後の垂直同期信号Ｖｓｙｎｃ（Ｃ）のパルス（時刻ｔ１０）から、その１周期以上の時間が経過した後の時刻ｔ１３に、垂直同期信号Ｖｓｙｎｃ（Ｃ）のパルスを生成する。液晶パネル３はホールド型のデバイスであるため、垂直同期信号が１周期以上入力されなくても現在表示されている画像を表示できる。よって、液晶パネル３の誤動作を防ぐことができる。また、液晶パネル３に正しい画像を表示できる。
【００５９】
また、本実施形態の別の特徴として、ＳＲモードからバイパスモードへの切り替え時には、アプリケーションプロセッサ１からの画像信号のうち、バイパスコマンドＢＰの直後の１フレーム目は選択されない。言い換えると、ＳＲモードにおける最後の垂直同期信号Ｖｓｙｎｃ（Ｃ）のパルス（時刻ｔ１０）から１周期以上の時間が経過した後に、セレクタ１８により選択される画像信号を切り替える（時刻ｔ１３）。
【００６０】
仮に、バイパスコマンドＢＰの直後に、セレクタ１８により選択される画像信号が切り替わるとする。この場合、フレームメモリ２０から読み出されているフレームＤの途中まではセレクタ１８により選択され、その後はアプリケーションプロセッサ１からのフレームＥが選択されてしまう。この場合、液晶パネル３に表示される画像がくずれてしまう。
【００６１】
これに対し、本実施形態では、ＳＲモードにおける最後の垂直同期信号Ｖｓｙｎｃ（Ｃ）のパルス（時刻ｔ１０）から１周期以上の時間が経過した後の時刻ｔ１３において、セレクタ１８が選択する画像信号を切り替える。そのため、液晶パネル３に正しい画像を表示できる。
【００６２】
続いて、ＳＲモードにおいて、表示する静止画の切り替え（静止画１から静止画２への切り替え）について説明する。静止画を切り替えるには、まず、セルフリフレッシュモードからバイパスモードへ切り替えた後、アップデートコマンドＵＤにてアプリケーションプロセッサ１からの画像をフレームメモリ２０に書き込む。次いで、セルフリフレッシュモードへ切り替える。このように、静止画の切り替えは、既に説明した２つの切り替えを組み合わせたものであるため、簡単に説明する。
【００６３】
図６は、ＳＲモードにおいて、表示する静止画を切り替える際の、アプリケーションプロセッサ１および画像処理装置２の処理動作を説明するタイミング図である。
【００６４】
ＳＲモードにおいて、表示する静止画を切り替える場合、アプリケーションプロセッサ１は、画像処理装置２に対して、
・バイパスコマンドＢＰ（時刻ｔ２１）、
・垂直同期信号Ｖｓｙｎｃおよび切り替え後の静止画用の画像信号（時刻ｔ２２）、
・アップデートコマンドＵＤ（時刻ｔ２３）、
・垂直同期信号Ｖｓｙｎｃおよび切り替え後の静止画用の画像信号（時刻ｔ２４）、ならびに、
・セルフリフレッシュコマンドＳＲ（時刻ｔ２５）
を順に送信する。
【００６５】
画像処理装置２は、バイパスコマンドＢＰを受信すると（時刻ｔ２１）、図４および図５で説明したように、ＳＲモードにおける最後の垂直同期信号Ｖｓｙｎｃ（Ｃ）のパルス（時刻ｔ２０）から１周期以上の時間が経過した後に、垂直同期信号Ｖｓｙｎｃ（Ｃ）のパルスを生成する（時刻ｔ２４）。また、ＳＲモードにおける最後の垂直同期信号Ｖｓｙｎｃ（Ｃ）のパルス（時刻ｔ２０）から１周期以上の時間が経過した後に、セレクタ１８が選択する画像信号をアプリケーションプロセッサ１からの画像信号に切り替える（時刻ｔ２４）。よって、時刻ｔ２４では、アプリケーションプロセッサ１からのフレームＬが、セレクタ１８により選択される。
【００６６】
また、画像処理装置２は、アップデートコマンドＵＤを受信すると（時刻ｔ２３）、図２および図３で説明したように、書き込み制御部１６は時刻ｔ２４で受信された画像信号Ｌをフレームメモリ２０に書き込む。
【００６７】
さらに、画像処理装置２は、セルフリフレッシュコマンドＳＲを受信すると（時刻ｔ２５）、読み出し制御部１７は、フレームメモリ２０に書き込まれたフレームＬを読み出す。また、セレクタ１８が選択する画像信号をフレームメモリ２０からの画像信号Ｌに切り替える。
【００６８】
なお、この説明から分かるように、時刻ｔ２２で受信されたフレームＬに応じた画像は表示されず、フレームメモリ２０に記憶されたフレームＫに応じた画像が表示される。そのため、アプリケーションプロセッサ１は、時刻ｔ２２では必ずしも表示すべき画像を示すフレームＬを送信しなくてもよい。すなわち、アプリケーションプロセッサ１は、バイパスコマンドＢＰの後に任意の画像信号を１フレームだけ送信し、その後に表示すべき静止画を示す画像信号を送信してもよい。
【００６９】
このように、本実施形態では、画像表示装置は、アプリケーションプロセッサ１からの画像信号を用いて動画表示を行うバイパスモードと、フレームメモリ２０から読み出した画像信号を用いて静止画表示を行うＳＲモードとを切り替えて動作できる。静止画を表示する際にはアプリケーションプロセッサ１を停止でき、かつ、動画を表示する際にはフレームメモリ２０へのアクセスが不要であるため、画像表示装置の消費電力を低減できる。
【００７０】
そして、ＳＲモードからバイパスモードに切り替える際、ＳＲモードにおける最後の垂直同期信号Ｖｓｙｎｃ（Ｃ）のパルスから、垂直同期信号Ｖｓｙｎｃ（Ｃ）の１周期以上の時間が経過した後に、垂直同期信号Ｖｓｙｎｃ（Ｃ）のパルスを生成する。そのため、液晶パネル３の誤動作を防げるとともに、液晶パネル３に正しい画像を表示できる。
【００７１】
また、ＳＲモードからバイパスモードに切り替える際、アプリケーションプロセッサ１からの画像信号のうち、切り替え直後の１フレーム目を選択しない。そのため、液晶パネル３に正しい画像を表示できる。
【００７２】
なお、本実施形態では、ＳＲモードからバイパスモードに切り替える際に、ＳＲモードにおける最後の垂直同期信号Ｖｓｙｎｃ（Ｃ）のパルスから、その１周期以上２周期未満の時間が経過した後に、垂直同期信号Ｖｓｙｎｃ（Ｃ）のパルスを生成する例を示した。しかしながら、液晶パネル３が２周期以上画像をホールドできるのであれば、２周期以上の時間が経過した後に、垂直同期信号Ｖｓｙｎｃ（Ｃ）のパルスを生成してもよい。この場合、アプリケーションプロセッサ１からの画像信号のうち、切り替え直後の２フレーム以上が選択されない。
【００７３】
上述した実施形態で説明した画像表示装置の少なくとも一部は、ハードウェアで構成してもよいし、ソフトウェアで構成してもよい。ソフトウェアで構成する場合には、画像表示装置の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７４】
また、画像表示装置の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７６】
１  アプリケーションプロセッサ
２  画像処理装置
３  液晶パネル
１１  コマンド解釈部
１２  表示切替制御部
１３  同期信号抽出部
１４  表示タイミング生成部
１５  Ｖｓｙｎｃマスク制御部
１６  書き込み制御部
１７  読み出し制御部
１８  セレクタ
１９  ＬＶＤＳ変換部
２０  フレームメモリ
【図１】
2015004885.tif 000003
【図２】
2015004885.tif 000004
【図３】
2015004885.tif 000005
【図４】
2015004885.tif 000006
【図５】
2015004885.tif 000007
【図６】
2015004885.tif 000008